(57)【要約】【課題】収容容器内の流体を収容容器の外部に逃がして収容容器内の圧力を低下させるにあたり、この圧力の低下がより確実に行われるようにする。【解決手段】符号１２Ａにて示す箇所にて亀裂が生じると、この亀裂を通じ、フィルタ収容部材１１０の内側の水が、フィルタ収容部材１１０の外側に逃げるようになる。そして、この水は、噛み合い部を通じ、図中下方に向かって移動する。具体的には、フィルタ収容部材１１０の雄ねじ部１１２と、蓋部材１２０の雌ねじ部１２１Ａとが互いに噛み合った噛み合い部を通じ、図中下方へ水が移動する。その後、この水は、蓋部材１２０の開口縁１２０Ｘと、環状突出部１１３との間を通り、水用カートリッジ１００の外部に達する。これにより、水用カートリッジ１００の内部の圧力が低下する。【選択図】図９
2015211934.tif 000002
【特許請求の範囲】
【請求項１】
筒状に形成され、一方端に、開口と当該開口を取り囲む開口縁とを備え、流体が内部に供給される容器本体と、
前記容器本体の前記一方端に被せられるように当該容器本体に取り付けられ、当該一方端が入る凹部を備え、当該容器本体の前記開口を塞ぐ蓋部材と、
前記蓋部材の内面と前記容器本体との間に配置されたシール部材と、
を備え、
前記容器本体のうち、前記蓋部材の前記凹部に入り込む前記一方端には、当該容器本体の内圧によって亀裂が生じ当該容器本体の内部と外部とを通じさせる亀裂発生部が設けられ、
前記シール部材は、前記亀裂発生部よりも、前記容器本体の前記開口縁側に設けられていることを特徴とする収容容器。
【請求項２】
前記容器本体のうち、前記亀裂発生部が設けられている部分の肉厚が、当該容器本体の各部位の肉厚のなかで最も小さいことを特徴とする請求項１に記載の収容容器。
【請求項３】
前記容器本体のうち、前記蓋部材の前記凹部に入り込む前記一方端には、当該蓋部材に形成された蓋側ねじ部に噛み合う容器側ねじ部が設けられ、当該容器側ねじ部が設けられている部分が、前記亀裂発生部として機能することを特徴とする請求項１又は２に記載の収容容器。
【請求項４】
前記容器本体のうちの前記容器側ねじ部が設けられている部分の肉厚の方が、前記蓋部材のうちの前記蓋側ねじ部が設けられている部分の肉厚よりも小さいことを特徴とする請求項３に記載の収容容器。
【請求項５】
前記容器本体の方が、前記蓋部材よりも、強度が小さい材料で形成されていることを特徴とする請求項１乃至４の何れかに記載の収容容器。
【請求項６】
前記容器本体内には、当該容器本体内に供給される前記流体に含まれる異物を除去するフィルタが設けられていることを特徴とする請求項１乃至５の何れかに記載の収容容器。
【請求項７】
開口を備え、流体が内部に供給される容器本体と、
前記開口を通じ前記容器本体内に入り込む筒状部であって一端部を先頭として当該容器本体内に入り込む当該筒状部を備え、当該容器本体の当該開口を塞ぐ蓋部材と、
前記容器本体の内面と前記蓋部材の前記筒状部との間に配置されたシール部材と、
を備え、
前記蓋部材の前記筒状部のうち、前記容器本体内に入り込む部分には、当該容器本体の内圧によって亀裂が生じ当該筒状部の内周面側と外周面側とを通じさせる亀裂発生部が設けられ、
前記シール部材は、前記亀裂発生部よりも、前記筒状部の前記一端部側に設けられていることを特徴とする収容容器。
【請求項８】
前記容器本体のうち、前記開口が設けられている側とは反対側には、底部が設けられ、
前記底部の一部の肉厚が、当該底部の他の部分の肉厚よりも小さくなっており、当該一部に、前記容器本体の内部と外部とを通じさせる亀裂が生じやすくなっていることを特徴とする請求項１乃至７の何れかに記載の収容容器。
【発明の詳細な説明】
【技術分野】
【０００１】
本発明は、収容容器に関する。
【背景技術】
【０００２】
特許文献１には、キッチンユニットにおける流し台に設けられた収納庫内に、内部に中空膜が収容された浄水器が設置された構成が開示されている。
【先行技術文献】
【特許文献】
【０００３】
【特許文献１】特開平１０−１６５９４３号公報
【発明の概要】
【発明が解決しようとする課題】
【０００４】
ここで、水や空気などの流体が内部に供給される収容容器では、流体の供給に伴い収容容器の内部の圧力が高まるが、この圧力が予め定められた圧力を超える場合には、収容容器内の流体を外部に逃がし、収容容器の圧力を低下させることが好ましい。
本発明の目的は、収容容器内の流体を収容容器の外部に逃がして収容容器内の圧力を低下させるにあたり、この圧力の低下がより確実に行われるようにすることにある。
【課題を解決するための手段】
【０００５】
かかる目的のもと、本発明が適用される収容容器は、筒状に形成され、一方端に、開口と当該開口を取り囲む開口縁とを備え、流体が内部に供給される容器本体と、前記容器本体の前記一方端に被せられるように当該容器本体に取り付けられ、当該一方端が入る凹部を備え、当該容器本体の前記開口を塞ぐ蓋部材と、前記蓋部材の内面と前記容器本体との間に配置されたシール部材と、を備え、前記容器本体のうち、前記蓋部材の前記凹部に入り込む前記一方端には、当該容器本体の内圧によって亀裂が生じ当該容器本体の内部と外部とを通じさせる亀裂発生部が設けられ、前記シール部材は、前記亀裂発生部よりも、前記容器本体の前記開口縁側に設けられていることを特徴とする収容容器である。
ここで、前記容器本体のうち、前記亀裂発生部が設けられている部分の肉厚が、当該容器本体の各部位の肉厚のなかで最も小さいことを特徴とすることができる。この場合、亀裂発生部が設けられている部分の肉厚が他の部分の肉厚よりも大きくなっている場合に比べ、亀裂発生部にて亀裂が発生する可能性を高めることができる。
また、前記容器本体のうち、前記蓋部材の前記凹部に入り込む前記一方端には、当該蓋部材に形成された蓋側ねじ部に噛み合う容器側ねじ部が設けられ、当該容器側ねじ部が設けられている部分が、前記亀裂発生部として機能することを特徴とすることができる。この場合、亀裂を生じやすくするための特別な工夫を容器本体に対して施さずに、容器本体に亀裂発生部を設けることができる。
また、前記容器本体のうちの前記容器側ねじ部が設けられている部分の肉厚の方が、前記蓋部材のうちの前記蓋側ねじ部が設けられている部分の肉厚よりも小さいことを特徴とすることができる。この場合、蓋側ねじ部が設けられている部分よりも、容器側ねじ部が設けられている部分にて、亀裂を生じやすくすることができる。
また、前記容器本体の方が、前記蓋部材よりも、強度が小さい材料で形成されていることを特徴とすることができる。この場合、蓋部材よりも容器本体にて、亀裂を生じやすくことができる。
また、前記容器本体内には、当該容器本体内に供給される前記流体に含まれる異物を除去するフィルタが設けられていることを特徴とすることができる。この場合、流体に含まれる異物の除去を行えるようになる。
他の観点から捉えると、本発明が適用される収容容器は、開口を備え、流体が内部に供給される容器本体と、前記開口を通じ前記容器本体内に入り込む筒状部であって一端部を先頭として当該容器本体内に入り込む当該筒状部を備え、当該容器本体の当該開口を塞ぐ蓋部材と、前記容器本体の内面と前記蓋部材の前記筒状部との間に配置されたシール部材と、を備え、前記蓋部材の前記筒状部のうち、前記容器本体内に入り込む部分には、当該容器本体の内圧によって亀裂が生じ当該筒状部の内周面側と外周面側とを通じさせる亀裂発生部が設けられ、前記シール部材は、前記亀裂発生部よりも、前記筒状部の前記一端部側に設けられていることを特徴とする収容容器である。
また、前記容器本体のうち、前記開口が設けられている側とは反対側には、底部が設けられ、前記底部の一部の肉厚が、当該底部の他の部分の肉厚よりも小さくなっており、当該一部に、前記容器本体の内部と外部とを通じさせる亀裂が生じやすくなっていることを特徴とすることができる。この場合、容器本体の底部から、収容容器内の流体を収容容器の外部に逃がせるようになる。
【発明の効果】
【０００６】
本発明によれば、収容容器内の流体を収容容器の外部に逃がして収容容器内の圧力を低下させるにあたり、この圧力の低下がより確実に行われるようにすることができる。
【図面の簡単な説明】
【０００７】
【図１】本実施形態にかかる歯科用診療装置の全体構成を示した図である。
【図２】ベースユニットの側壁を取り外した状態を示した図である。
【図３】水用取り付け部を拡大して示した図である。
【図４】水用カートリッジを説明するための図である。
【図５】フィルタ収容部材を取り除いた状態における水用カートリッジの斜視図である。
【図６】塞ぎ部材の斜視図である。
【図７】（Ａ）、（Ｂ）、（Ｃ）は、蓋部材を説明するための図である。
【図８】（Ａ）、（Ｂ）は、フィルタ収容部材を説明するための図である。
【図９】フィルタ収容部材の上部、および、蓋部材を示した図である。
【図１０】水用カートリッジの比較例を示した図である。
【図１１】水用カートリッジの他の構成例を示した図である。
【発明を実施するための形態】
【０００８】
以下、添付図面を参照して、本発明の実施形態について説明する。
図１は、本実施形態にかかる歯科用診療装置の全体構成を示した図である。
同図に示すように、本実施形態の歯科用診療装置１では、床面の上に、診療台２が設けられている。ここで、この診療台２は、基台２ａと、基台２ａにより支持され昇降可能に設けられた座板２ｂと、一端が座板２ｂに取り付けられこの一端を中心に回転可能に設けられた背板２ｃとを備えている。なお、図１では、背板２ｃが倒れた状態を示している。
【０００９】
また、診療台２の脇には、医師用のトレーテーブル３、医師用のインスツルメントホルダ１０が設けられている。なお、このインスツルメントホルダ１０は、トレーテーブル３に取り付けられている。さらに、診療台２を挟みトレーテーブル３の反対側には、アシスタント用のインスツルメントホルダ（不図示）が設置されている。また、光源を備えたデンタルライト６ａ、このデンタルライト６ａを支持するアーム６ｂ、このアーム６ｂを支持する支柱６ｃが設置されている。
【００１０】
なお、医師用のインスツルメントホルダ１０及びアシスタント用のインスツルメントホルダ（不図示）には、歯科用の診療用器具（インスツルメント）（不図示）が抜差し自在に保持される。ここで、医師用の診療用器具としては、例えば、エアタービンハンドピース、マイクロモータハンドピース、スケーラ、スリーウェーシリンジ、根管長測定器、根管拡大器、口腔内カメラを挙げることができる。また、アシスタント用の診療用器具としては、例えば、患者の口腔内の唾液、血液、切削屑などを吸引する吸引用器具を挙げることができる。
【００１１】
また、本実施形態では、診療台２の脇に、患者がうがいを行う際に用いるコップに対して水を供給する供給装置（スピットン装置）５が設けられている。この供給装置５には、ベースユニット５１が設けられている。ここで、このベースユニット５１の側面には、取り外し可能な側壁５１Ａが設けられており、この側壁５１Ａを取り外すことで、ベースユニット５１の内部へのアクセスが可能になる。
【００１２】
さらに、供給装置５には、図１に示すように、ベースユニット５１の上に設置され患者の口腔内から排出された唾液等を受ける廃液受け部（ベースン）５２、廃液受け部５２の脇に設けられ不図示のコップに対し水を供給するコップ用給水部（不図示）、清掃用の水を廃液受け部５２に供給する清掃用給水部５４が設けられている。
【００１３】
図２は、ベースユニット５１の側壁５１Ａを取り外した状態を示した図である。
図２では図示を省略しているが、ベースユニット５１の内部には、水（流体の一例）に含まれる不純物（異物）の除去を行う水用カートリッジ、および、空気（流体の他の一例）に含まれる不純物（異物）の除去を行う空気用カートリッジの２個のカートリッジが設置される。なお、本実施形態では、内部に収容されるフィルタ（後述）およびラベル（後述）における表示を除き、水用カートリッジと空気用カートリッジとは同様に構成されている。
【００１４】
本実施形態の歯科用診療装置１では、水道管によって供給されてきた水は、水用カートリッジを通されたうえで、診療用の水として用いられるようになる。また、本実施形態では、コンプレッサー（不図示）により送られてきた空気が、空気用カートリッジに通され、この空気用カートリッジを通された後の空気が、診療用の空気として用いられる。
【００１５】
ベースユニット５１の内部には、図２に示すように、水用カートリッジが取り付けられる水用取り付け部６１と、空気用カートリッジが取り付けられる空気用取り付け部６２とが設けられている。ここで、本実施形態では、水用取り付け部６１の方が空気用取り付け部６２よりも下方に位置しており、カートリッジの取り付けが完了すると、水用カートリッジの方が空気用カートリッジよりも下方に位置する。
【００１６】
図３は、水用取り付け部６１を拡大して示した図である。なお、空気用取り付け部６２も水用取り付け部６１と同様に構成されている。
水用取り付け部６１には、水用カートリッジを下方から支持する支持板６１Ａと、上方から眺めた場合にＣ字状に形成され、水用カートリッジの側方への移動を規制する規制部材６１Ｂとが設けられている。さらに、水用カートリッジに設けられた供給管（後述）および排出管（後述）の着脱が行われる着脱部６１Ｃが設けられている。
【００１７】
着脱部６１Ｃには、供給管が接続されこの供給管への水の供給を行う供給用コネクタ７０、排出管が接続され排出管から排出された水が通る排出用コネクタ８０が設けられている。さらに、図中、供給用コネクタ７０および排出用コネクタ８０の背後には、２本のチューブ（不図示）が設けられおり、一方のチューブが用いられ、水道管からの水が、供給用コネクタ７０へ供給され、他方のチューブが用いられ、排出用コネクタ８０からの水が、上記にて説明した診療用器具や供給装置５へ供給される。
【００１８】
図４は、水用カートリッジを説明するための図である。
収容容器の一例としての水用カートリッジ１００には、容器本体の一例としてのフィルタ収容部材１１０が設けられている。このフィルタ収容部材１１０は、円筒状に形成され、内部に、中空糸フィルタなどのフィルタ（詳細は後述）を収容する。さらに、本実施形態の水用カートリッジ１００には、フィルタ収容部材１１０の上方に形成された開口を塞ぐ蓋部材１２０が設けられている。
【００１９】
蓋部材１２０には、円筒状に形成され外周面１２１および上面１２２を有した蓋本体（基体）１２３と、水用カートリッジ１００に供給されてきた水が通る供給管１２４と、水用カートリッジ１００から排出される水が通る排出管１２５が設けられている。ここで、供給管１２４および排出管１２５の各々は、蓋本体１２３と一体で形成された管本体部１２６と、管本体部１２６の先端に挿入されて固定された筒状部材１２７とにより構成されている。
【００２０】
ここで、管本体部１２６は、Ｌ字状に形成されており、図中上下方向に沿って延びる第１部位１２６Ａと、水平方向に沿って延びる第２部位１２６Ｂとが設けられている。このように、管本体部１２６をＬ字状に形成した場合、管本体部１２６を、鉛直方向に沿わせて且つ直線状に形成する場合に比べ、水用カートリッジ１００の高さ寸法を減らせるようになる。付言すると、本実施形態では、供給管１２４および排出管１２５の先端に存在する開口１２８が横を向くようになっており、開口１２８が上方を向く場合に比べ、水用カートリッジ１００の高さ寸法を減らせるようになる。
【００２１】
さらに、本実施形態では、フィルタ収容部材１１０の外周面に、カートリッジが水用カートリッジ１００および空気用カートリッジの何れであるかの識別に用いられるラベル１１１が貼付されている。付言すると、本実施形態では、フィルタ収容部材１１０の外周面に対してラベル１１１が貼付され、これにより、フィルタ収容部材１１０の外周面に対して標記が付された状態となっている。
【００２２】
なお、図４では、水用カートリッジ１００を示しているため、「水用」という表示がなされているが、空気用カートリッジである場合には、「空気用」という表示がなされる。本実施形態では、水用カートリッジ１００と空気用カートリッジとが、同じ外形形状を有して形成されており、両者を見分けにくくなっている。このため、ラベル１１１上に、「水用」あるいは「空気用」という表示を行い、両者を見分けやすくしている。
【００２３】
さらに、本実施形態では、供給管１２４の外面に、水が流入することを示す「ＩＮ」という文字と矢印の表示がなされ、排出管１２５の外面に、水が排出されることを示す「ＯＵＴ」という文字と矢印の表示がなされている。付言すると、供給管１２４および排出管１２５のそれぞれには、管のそれぞれが有する機能を示す表示（以下、「機能表示」と称する）が表示されている。
【００２４】
さらに、本実施形態では、水用カートリッジ１００および空気用カートリッジの各々に、２つの筒状部材１２７が設けられ、本実施形態では、カートリッジ側に、合計で４個の筒状部材１２７が設けられた構成となっている。また、この４個の筒状部材１２７に対応するように、合計で４個のコネクタ（２個の供給用コネクタ７０、２個の排出用コネクタ８０）が設けられている。さらに、上記では説明を省略したが、４個の筒状部材１２７の各々は、色が互いに異なっており、また、４個のコネクタについても、色が互いに異なっている。
【００２５】
さらに、水用カートリッジ１００に設けられた２つの筒状部材１２７のうちの、供給管１２４側に設けられた一方の筒状部材１２７の色と、水用取り付け部６１（図２参照）に設けられた２つのコネクタのうちの一方のコネクタである供給用コネクタ７０の色とが同じとなっている。さらに、図示は省略するが、この供給用コネクタ７０にも、図４にて示した「ＩＮ」という文字や、矢印の表示がなされている。
また、水用カートリッジ１００に設けられた２つの筒状部材１２７のうちの、排出管１２５側に設けられた他方の筒状部材１２７の色と、水用取り付け部６１（図２参照）に設けられた２つのコネクタのうちの他方のコネクタである排出用コネクタ８０の色とが同じとなっている。さらに、図示は省略するが、この排出用コネクタ８０にも、図４にて示した「ＯＵＴ」という文字や、矢印の表示がなされている。
【００２６】
同様に、空気用カートリッジに設けられた２つの筒状部材１２７のうちの、供給管１２４側に設けられた一方の筒状部材１２７の色と、空気用取り付け部６２（図２参照）に設けられた２つのコネクタのうちの一方のコネクタである供給用コネクタ７０の色とが同じとなっている。さらに、図示は省略するが、この供給用コネクタ７０にも、図４にて示した「ＩＮ」という文字や、矢印の表示がなされている。
また、空気用カートリッジに設けられた２つの筒状部材１２７のうちの、排出管１２５側に設けられた他方の筒状部材１２７の色と、空気用取り付け部６２（図２参照）に設けられた２つのコネクタのうちの他方のコネクタである排出用コネクタ８０の色とが同じとなっている。さらに、図示は省略するが、この排出用コネクタ８０にも、図４にて示した「ＯＵＴ」という文字や、矢印の表示がなされている。
【００２７】
このように、本実施形態では、４個の筒状部材１２７の各々の色を異ならせ、また、４個のコネクタの各々の色を異ならせ、さらに、互いに接続されるコネクタと筒状部材１２７とが同色となっている。さらに、カートリッジ側のみではなく、コネクタ側にも、「ＩＮ」、「ＯＵＴ」という文字や、矢印の表示を行っている。
かかる場合、水用カートリッジ１００と空気用カートリッジとが誤って装着されたり、供給側と排出側とが誤って装着されたりすることを、さらに効果的に抑制できるようになる。
【００２８】
さらに、本実施形態では、図４に示すように、供給管１２４と排出管１２５とが同方向（図中、紙面の奥側且つ左方向（斜め左奥方向））に向かって延びるように形成され、供給管１２４および排出管１２５の各々の先端に形成された開口１２８が、同方向を向くようになっている。これにより、本実施形態では、水用カートリッジ１００を、図３にて示した着脱部６１Ｃに対して押し込むだけで、水用カートリッジ１００の装着を行えるようになる。
【００２９】
付言すると、本実施形態では、水用カートリッジ１００を一方向に向けて押し込むだけで、水用カートリッジ１００の装着を行えるようになっている。ここで、供給管１２４と排出管１２５とが互いに異なる方向に延び、供給管１２４および排出管１２５の各々の先端に形成された開口１２８が異なる方向を向いている場合、この一方向への押し込みはできず、水用カートリッジ１００の装着時の操作が複雑化する。
【００３０】
図４を参照し、水用カートリッジ１００についてさらに説明する。
本実施形態の水用カートリッジ１００は、水用取り付け部６１から取り外した状態でも自立できるようになっており、水用カートリッジ１００が自立した状態では、開口１２８が水用カートリッジ１００の最上部に位置する構成となっている。これにより、水用カートリッジ１００の内部の水の外部への漏れ出しが起きにくくなっている。
【００３１】
さらに、本実施形態では、水用カートリッジ１００の自立時、供給管１２４および排出管１２５が水平方向に沿って延びるように配置され、本実施形態では、この水平方向に延びる供給管１２４および排出管１２５の先端に開口１２８が形成されている。これにより、開口１２８が下方向を向かずに、横方向（水用カートリッジ１００の側方、水平方向）を向くようになり、開口１２８から水が垂れることが起きにくくなっている。なお、本実施形態では、開口１２８が横方向を向く場合を一例に説明したが、開口１２８が斜め上方（横方向（水平方向）によりも上方）などを向く場合であっても、水が垂れることが起きにくくなる。
【００３２】
次に、水用カートリッジ１００の内部構造について説明する。
図５は、フィルタ収容部材１１０を取り除いた状態における水用カートリッジ１００の斜視図である。付言すると、図５は、水用カートリッジ１００の底部側から水用カートリッジ１００の内部構造を示した図である。
【００３３】
水用カートリッジ１００の内部には、水用カートリッジ１００の軸方向（高さ方向）に沿って配置された円筒状の筒状部材１３０が設けられている。さらに、筒状部材１３０の内部には、フィルタ（中空糸フィルタ）１４０が収容されている。また、筒状部材１３０の一方の端部を塞ぐ塞ぎ部材１５０が設けられている。塞ぎ部材１５０は、蓋部材１２０の裏面に対して固定されている。また、塞ぎ部材１５０には、塞ぎ部材１５０内の水の排出に用いられる排出用開口（後述）が形成されている。
【００３４】
本実施形態の水用カートリッジ１００では、供給管１２４を通って供給されてきた水が、蓋部材１２０の裏面と塞ぎ部材１５０の外面（上面）との間に形成された隙間内に流れ出る。そして、この水は、図中矢印８Ａで示すように移動し、筒状部材１３０の外周面に達する。
【００３５】
その後、この水は、筒状部材１３０に複数形成された貫通孔１３１を通って、筒状部材１３０の内部に入り込む。その後、この水は、塞ぎ部材１５０に向かう。この際、フィルタ１４０によって、水に含まれる不純物が除去される。その後、水は、塞ぎ部材１５０に形成された排出用開口、排出管１２５を通って、水用カートリッジ１００の外部に排出される。
【００３６】
図６は、塞ぎ部材１５０の斜視図である。
塞ぎ部材１５０には、円筒状に形成され外周面１５１Ａおよび上面１５１Ｂを有した塞ぎ部材本体１５１、塞ぎ部材本体１５１の上面１５１Ｂから上方に向かって延びる円筒状部材１５２が設けられている。
【００３７】
円筒状部材１５２の図中上端部には、上記にて説明した排出用開口１５２Ａが形成されている。ここで、本実施形態では、円筒状部材１５２と塞ぎ部材本体１５１とは一体で形成されている。また、本実施形態では、円筒状部材１５２の上端部且つ外周面に、Ｏリング１５３が取り付けられている。円筒状部材１５２は、排出管１２５（図４参照）に設けられた第１部位１２６Ａの内部に挿入されるが、この際、このＯリング１５３が第１部位１２６Ａの内周面に密着する。
【００３８】
塞ぎ部材本体１５１の外周面１５１Ａには、塞ぎ部材本体１５１の軸方向に沿ったリブ１５１Ｃが４本形成されている。この４本のリブ１５１Ｃは、塞ぎ部材本体１５１の周方向において９０°おきに配置されている。本実施形態では、塞ぎ部材１５０が蓋部材１２０の裏面側に取り付けられた際、蓋部材１２０の内周面に対してこのリブ１５１Ｃが対峙する。これにより、蓋部材１２０の内周面と塞ぎ部材１５０の外周面１５１Ａとの間の隙間が、塞ぎ部材１５０の周方向において、一定に保たれるようになる。
【００３９】
また、塞ぎ部材本体１５１の上面１５１Ｂは、図中上方に向かうに従い径が次第に小さくように形成されている。本実施形態では、蓋部材１２０の裏面も、水用カートリッジ１００の高さ方向における上方に向かうに従い径が小さくなる。本実施形態では、塞ぎ部材本体１５１の上面１５１Ｂの形状を、蓋部材１２０の裏面の形状に倣うようにしている。
【００４０】
なお、本実施形態では、水用カートリッジ１００の高さ方向に沿って延びる面１５１Ｄと、この高さ方向と直交する方向に沿って延びる面１５１Ｅとを組み合わせることで、塞ぎ部材本体１５１の上面１５１Ｂの径を次第に小さくしている。付言すると、ドーム状のような曲面を用いずに、上面１５１Ｂの径を次第に小さくしている。この場合、曲面で径を小さくしていく場合に比べ、塞ぎ部材１５０の成形に用いる金型の製造コストをより安価にできる。
【００４１】
図７の（Ａ）、（Ｂ）、（Ｃ）は、蓋部材１２０を説明するための図である。なお、同図（Ａ）は上面図であり、同図（Ｂ）は、同図（Ａ）におけるＶＩＩＢ−ＶＩＩＢ線における断面図であり、同図（Ｃ）は、同図（Ｂ）における符号ＶＩＩＣで示す部分の拡大図である。
【００４２】
同図（Ｂ）に示すように、また、上記にて説明したように、蓋部材１２０には、円筒状に形成され外周面１２１および上面１２２を有した蓋本体１２３と、水用カートリッジ１００に供給されてきた水が最初に通る供給管１２４と、水用カートリッジ１００から排出される水が通る排出管１２５とが設けられている。ここで、上記のとおり、供給管１２４および排出管１２５の各々には、図中上下方向に沿って延びる第１部位１２６Ａと、水平方向に沿って延びる第２部位１２６Ｂとが設けられている。
【００４３】
ここで、上記にて説明した塞ぎ部材１５０の円筒状部材１５２（図６参照）は、排出管１２５に設けられた第１部位１２６Ａに挿入される。これにより、本実施形態では、フィルタ１４０（図５参照）を経由して塞ぎ部材１５０まで達した水が、円筒状部材１５２を通り、排出管１２５に達する。そして、本実施形態では、この排出管１２５を水が通り、水用カートリッジ１００の外部に水が排出される。
【００４４】
さらに、本実施形態の蓋部材１２０では、図７（Ｂ）に示すように、フィルタ収容部材１１０の端部（開口側の端部）が入り込む凹部２００が設けられている。本実施形態では、この凹部２００に対してフィルタ収容部材１１０の端部が入れられると、フィルタ収容部材１１０のこの端部に対して蓋部材１２０が被せられた状態となり、フィルタ収容部材１１０の開口が塞がれる。
【００４５】
さらに、本実施形態では、図７（Ｂ）に示すように、蓋本体１２３の内周面に、雌ねじ部１２１Ａが設けられている。ここで、蓋側ねじ部の一例としての、この雌ねじ部１２１Ａは、台形ねじにより構成されている。さらに、この雌ねじ部１２１Ａは、いわゆる逆ねじにより構成されている。
また、蓋部材１２０には、図７（Ｃ）に示すように、蓋部材１２０の内面から蓋部材１２０の開口側に（図中下方に）向かって突出し且つ蓋部材１２０の周方向に沿って環状に形成された環状突起１２９が形成されている。
【００４６】
本実施形態では、この環状突起１２９と、蓋本体１２３の内周面との間に、図中上方に向かって凹み且つ蓋部材１２０の周方向に沿って環状に形成された環状溝１２９Ｂが形成されている。そして、本実施形態では、フィルタ収容部材１１０（図４参照）に対して蓋部材１２０が取り付けられると、フィルタ収容部材１１０の開口縁が、環状溝１２９Ｂの内部に入り込む。なお、図７では図示を省略しているが、環状溝１２９Ｂの内部には、シール部材の一例としてのＯリング３００が収容され、このＯリング３００により、フィルタ収容部材１１０と蓋部材１２０との隙間からの水漏れなどを抑制している。
【００４７】
ここで、環状溝１２９Ｂは、図７（Ｃ）に示すように、その断面が略矩形状に形成され、底面１２９Ｃの両脇に角部１２９Ｄが形成された構造となっている。付言すると、環状溝１２９Ｂの底面１２９Ｃと、環状溝１２９Ｂの両脇に位置する側面１２９Ｅとの接続部に角部１２９Ｄが設けられた構成となっている。そして、本実施形態では、この角部１２９Ｄに対して曲率を付与するようにしている。
【００４８】
また、本実施形態の蓋部材１２０では、環状溝１２９Ｂの角部１２９Ｄに限らず、平面同士が交わる箇所に対しては曲率を付与するようにしている。ここで、このように曲率を付与した場合、応力集中が抑制され、蓋部材１２０の強度が向上する。
本実施形態のカートリッジでは、水や空気が内部に供給され、カートリッジに対しては内側から圧力が加わるため、これに対抗できる機械的強度が要求される。本実施形態のように、角部となり得る箇所に対して曲率を付与した場合、付与しない場合に比べ、蓋部材１２０の強度が向上する。
【００４９】
次に、フィルタ収容部材１１０について説明する。
図８（Ａ）、（Ｂ）は、フィルタ収容部材１１０を説明するための図である。なお、同図（Ａ）は、フィルタ収容部材１１０の軸方向に沿った面における断面図であり、同図（Ｂ）は、同図（Ａ）における符号VIIIBで示す部分の拡大図である。
【００５０】
同図（Ａ）に示すように、フィルタ収容部材１１０の外周面であって、フィルタ収容部材１１０の開口１１４側には、蓋部材１２０の内周面に形成された上記雌ねじ部１２１Ａ（図７参照）に噛み合う雄ねじ部１１２が設けられている。なお、容器側ねじ部の一例としての、この雄ねじ部１１２は、雌ねじ部１２１Ａと同様、台形ねじにより構成されている。
本実施形態では、蓋部材１２０の内周面に形成された雌ねじ部１２１Ａと、フィルタ収容部材１１０の外周面に形成された雄ねじ部１１２とが噛み合うことで、フィルタ収容部材１１０と蓋部材１２０とが互いに固定される。
【００５１】
なお、蓋部材１２０側と同様、フィルタ収容部材１１０側でも、雄ねじ部１１２は逆ねじにより構成されている。この結果、本実施形態では、蓋部材１２０を時計回り方向ではなく反時計回り方向に回転させることで、蓋部材１２０とフィルタ収容部材１１０とが固定される。付言すると、蓋部材１２０の表面側（外側）から蓋部材１２０を眺めた状態にて、蓋部材１２０を反時計回り方向に回転させることで、蓋部材１２０とフィルタ収容部材１１０とが固定される。
【００５２】
このように逆ねじを用いる場合、フィルタ収容部材１１０から蓋部材１２０を取り外しにくくなり、例えば、一般ユーザなど、サービスマン以外の者によるカートリッジの分解がなされにくくなる。
さらに説明すると、本実施形態の歯科用診療装置１では、カートリッジが寿命に達した際に、カートリッジ一式（全体）を交換する方式を採用している。このため、カートリッジについては、分解がなされない方が好ましい。そこで、本実施形態では、蓋部材１２０とフィルタ収容部材１１０との固定に逆ねじを用いるようにし、カートリッジの分解を行いにくくしている。
【００５３】
図８を参照してフィルタ収容部材１１０についてさらに説明する。
本実施形態のフィルタ収容部材１１０では、雄ねじ部１１２よりも底部１１５側に、フィルタ収容部材１１０の外周面から突出し且つフィルタ収容部材１１０の周方向に沿って環状に形成された環状突出部１１３が形成されている。
本実施形態では、フィルタ収容部材１１０への蓋部材１２０の取り付けを行っていくと、蓋部材１２０の開口縁がこの環状突出部１１３に突き当たる。これにより、フィルタ収容部材１１０に対する蓋部材１２０の過度の締め付けが防止される。
【００５４】
フィルタ収容部材１１０についてさらに説明すると、本実施形態のフィルタ収容部材１１０は、円筒状に形成されており、図８（Ａ）に示すように、一端部１１６Ａおよび他端部１１６Ｂを有している。そして、本実施形態では、この一端部１１６Ａに、開口１１４が形成されている。また、他端部１１６Ｂ側は塞がれており、他端部１１６Ｂ側には底部１１５が設けられている。
【００５５】
さらに、本実施形態のフィルタ収容部材１１０では、一端部１１６Ａ側に且つ開口１１４の周囲に、この開口１１４を取り囲む開口縁１１７が設けられている。さらに、この開口縁１１７が位置している箇所には、フィルタ収容部材１１０の端面１１８が位置している。なお、本実施形態では、この端面１１８と環状突出部１１３との間に、雄ねじ部１１２が位置している。
【００５６】
さらに、本実施形態のフィルタ収容部材１１０は、肉厚が均一ではなく、肉厚を部分的に小さくしている。具体的には、底部１１５に、肉厚を小さくした薄肉部１１９が設けられている。付言すると、本実施形態では、底部１１５の一部の肉厚が、底部１１５の他の部分の肉厚よりも小さくなっている。さらに、本実施形態では、雄ねじ部１１２が形成されている部分の肉厚も小さくなっている。
なお、本実施形態のフィルタ収容部材１１０では、雄ねじ部１１２が形成されている部分の肉厚が最も小さくなっている。ここで、雄ねじ部１１２が形成されている部分の肉厚は、図８（Ｂ）の符号Ｌに示すように、雄ねじ部１１２を構成するねじ山を除いた部分の肉厚を指す（雄ねじ部１１２が形成されていないと想定した場合の肉厚を指す）。
【００５７】
フィルタ収容部材１１０についてさらに説明すると、本実施形態のフィルタ収容部材１１０は、ポリカーボネート（ＰＣ）により構成されている。一方で、蓋部材１２０（図７参照）については、ガラス繊維で強化したポリカーボネートにより構成されている。付言すると、蓋部材１２０は、フィルタ収容部材１１０よりも、強度を有した材料で形成されている。また、蓋部材１２０は、フィルタ収容部材１１０よりも肉厚が大きくなっている。このため、本実施形態では、蓋部材１２０の方が、フィルタ収容部材１１０よりも強度を有している。
【００５８】
ここで、上記では説明を省略したが、本実施形態では、水用カートリッジ１００内の圧力が、予め定められた圧力を超える場合、フィルタ収容部材１１０に小さな亀裂を生じさせ、この亀裂を通じて、内部の圧力を逃がすようにしている。
具体的には、例えば、雄ねじ部１１２が設けられている箇所や、薄肉部１１９が設けられている箇所では、肉厚が小さく、強度が他の箇所よりも小さくなっている。これにより、これらの箇所は、亀裂発生部として機能するようになり、これらの箇所では、亀裂が生じ、この亀裂を通じて、内部の水（水位によっては空気のみの場合もあり）（空気用カートリッジでは空気）が外部に逃げる。これにより、水用カートリッジ１００の内部の圧力が低下する。ここで、水用カートリッジ１００などの容器では、一般的に、安全弁等を用いて内部圧力を外部に逃がす。これに対し、本実施形態では、安全弁等を用いることなく、亀裂を生じさせ、圧力を外部に逃がす。これにより、簡単な構成かつ低コストで、内部圧力を外部に逃がせるようになる。
【００５９】
図９は、フィルタ収容部材１１０の上部、および、蓋部材１２０を示した図である。なお、本図では、Ｏリング３００も表示している。また、本図では、筒状部材１３０（図５参照）などの内容物の図示を省略している。
図９を参照し、雄ねじ部１１２が設けられている箇所にて亀裂が生じた際の水の流れを説明する。なお、図９では、同図の符号１２Ａにて示す箇所にて、亀裂が生じたときの水の流れを説明する。
【００６０】
符号１２Ａにて示す箇所にて亀裂が生じると、この亀裂を通じ、フィルタ収容部材１１０の内側の水が、フィルタ収容部材１１０の外側に逃げるようになる。そして、この水は、噛み合い部を通じ、図中下方に向かって移動する。
付言すると、本実施形態では、フィルタ収容部材１１０の雄ねじ部１１２と、蓋部材１２０の雌ねじ部１２１Ａとが互いに噛み合った噛み合い部が存在しているが、この噛み合い部を通じ、図中下方へ水が移動する。その後、この水は、蓋部材１２０の開口縁１２０Ｘと、環状突出部１１３との間を通り、水用カートリッジ１００の外部に達する。これにより、水用カートリッジ１００の内部の圧力が低下する。
【００６１】
なお、図９に示すように、蓋部材１２０の雌ねじ部１２１Ａが設けられている箇所でも、この雌ねじ部１２１Ａが設けられているために、強度が他の部分よりも小さくなり、雌ねじ部１２１Ａが設けられている箇所でも、亀裂が生じやすい状況にある。しかしながら、本実施形態では、蓋部材１２０側よりもフィルタ収容部材１１０側で亀裂が生じやすくなっている。
【００６２】
ここで、本実施形態では、フィルタ収容部材１１０側の方が、肉厚が小さくなっている。付言すると、雌ねじ部１２１Ａが形成されている部分の蓋部材１２０の肉厚と、雄ねじ部１１２が形成されている部分のフィルタ収容部材１１０の肉厚とを比較した場合に、フィルタ収容部材１１０側の方が、肉厚が小さくなっている。
さらに、蓋部材１２０は、ガラス繊維で強化したポリカーボネートにより構成されているが、フィルタ収容部材１１０は、通常のポリカーボネートにより構成されている。付言すると、フィルタ収容部材１１０の方が、蓋部材１２０よりも、強度が小さい材料で形成されている。
このため、亀裂は、蓋部材１２０よりもフィルタ収容部材１１０側で生じやすくなる。そして、フィルタ収容部材１１０側で亀裂が生じると、内部の水が徐々に外へ流れ出るようになる。
【００６３】
ここで、蓋部材１２０の雌ねじ部１２１Ａが設けられる部分の方が、フィルタ収容部材１１０の雄ねじ部１１２が設けられている部分よりも亀裂が生じやすい場合、内部の水を徐々に外部に逃がすことが難しくなる場合がある。
ここで、蓋部材１２０の雌ねじ部１２１Ａにて、先に亀裂が生じてしまうと、この亀裂は、水用カートリッジ１００の内部とは通じていないため（水用カートリッジ１００の内部と雌ねじ部１２１Ａとの間に、フィルタ収容部材１１０が存在するため）、この亀裂を通じて、内部の水を外部へ逃がすことはできない。その一方で、蓋部材１２０には、図９における矢印９Ａに示すように、圧力が加わっている。
【００６４】
かかる場合、蓋部材１２０の雌ねじ部１２１Ａにて生じた亀裂が蓋部材１２０の全周に亘って拡がり、蓋部材１２０に、小さな亀裂ではなく割れが生じる可能性がある。
一方で、本実施形態のように、フィルタ収容部材１１０の雄ねじ部１１２に亀裂が生じる場合には、小さい亀裂が生じ、そして、この亀裂を通じ、内部の水が徐々に外部に逃げるようになる。
【００６５】
図１０は、水用カートリッジ１００の比較例を示した図である。
この比較例では、噛み合い部よりも、蓋部材１２０の開口縁１２０Ｘ側に、Ｏリング３００が設けられた構成となっている。かかる構成の場合、水用カートリッジ１００の雄ねじ部１１２にて亀裂が生じたとしても、内部の水を外部に逃がすことが難しくなる。詳細には、水用カートリッジ１００の内部の水は、亀裂を通って、噛み合い部まで達するが、この噛み合い部分よりも下流側（水が移動しようとしている方向における下流側）には、Ｏリング３００があるために、これ以上、この水は移動できない。
一方で、本実施形態では、図９にて示したように、噛み合い部よりも下流側ではなく上流側に、Ｏリング３００が位置しており、水の流れがＯリング３００により規制されずに、水は、水用カートリッジ１００の外部へ流れ出るようになる。
【００６６】
（その他）
上記では、図９に示したように、フィルタ収容部材１１０の開口縁１１７（端面１１８）に対向するようにＯリング３００を配置した態様を一例に説明したが、噛み合い部よりも上流側にＯリング３００が位置していればよく、例えば、フィルタ収容部材１１０の外周面と、蓋部材１２０の内周面との間に、Ｏリング３００を配置するようにしてもよい。より具体的には、例えば、図９にて符号９Ｂに示す箇所に、Ｏリング３００を配置するようにしてもよい。
【００６７】
また、例えば、図１１（水用カートリッジ１００の他の構成例を示した図）に示すように、蓋部材１２０側に雄ねじ部１２０Ｇを形成し、フィルタ収容部材１１０側に雌ねじ部１１０Ａを形成するようにしてもよい。
付言すると、図１１にて示す構成例では、蓋部材１２０の一部がフィルタ収容部材１１０の内部に入り込む構成となっており、蓋部材１２０側に雄ねじ部１２０Ｇを形成し、フィルタ収容部材１１０側に雌ねじ部１１０Ａを形成している。
【００６８】
より具体的には、この構成例における蓋部材１２０では、フィルタ収容部材１１０の内部に入り込む筒状部２０２が設けられている。
ここで、この筒状部２０２は、フィルタ収容部材１１０の内部に筒状部２０２が入り込む際に先頭となる一端部２０３と、この一端部２０３とは反対側に位置し蓋本体１２３に接続される他端部２０４とを有している。そして、本実施形態では、この筒状部２０２の外周面に、雄ねじ部１２０Ｇが形成され、フィルタ収容部材１１０の内周面に、雌ねじ部１１０Ａが形成されている。
【００６９】
そして、この図１１に示す構成例においても、噛み合い部よりも上流側にＯリング３００を位置させており、蓋部材１２０の雄ねじ部１２０Ｇで亀裂が生じた場合には、水用カートリッジ１００の内部の水が、外部に逃げるようになる。
【００７０】
より詳細には、蓋部材１２０の雄ねじ部１２０Ｇ（蓋部材１２０の筒状部２０２）にて亀裂が生じた場合には、この亀裂によって、筒状部２０２の内周面２０２Ａ側と外周面２０２Ｂ側とが通じるようになる。これにより、筒状部２０２の内周面２０２Ａ側に位置する水が、筒状部２０２の外周面２０２Ｂ側に移動する。そして、この水は、噛み合い部を通過しながら図中上方へ移動し、水用カートリッジ１００の外部に排出される。
【００７１】
ここで、この図１１に示す構成例でも、水用カートリッジ１００の外部へ流れ出ようとする水の移動経路上に、Ｏリング３００が位置せず、これにより、水の移動が、Ｏリング３００により規制されることが抑制され、外部に水が流れ出るようになる。
さらに説明すると、この構成例では、筒状部２０２の他端部２０４側ではなく、筒状部２０２の一端部２０３側に、Ｏリング３００が位置し、噛み合い部よりも上流側に、Ｏリング３００が位置する。これにより、水の移動経路上にＯリング３００が位置せず、水用カートリッジ１００の外部へ水が流れ出るようになる。
【００７２】
なお、この図１１に示す構成例では、蓋部材１２０側の肉厚を小さくしたり、フィルタ収容部材１１０を、ガラス繊維で強化したポリカーボネートで形成（蓋部材１２０は通常のポリカーボネートで形成）したりするなどして、蓋部材１２０の雄ねじ部１２０Ｇにて亀裂を生じやすくしている。付言すると、フィルタ収容部材１１０の雌ねじ部１１０Ａよりも、蓋部材１２０の雄ねじ部１２０Ｇにて、亀裂を生じやすくしている。
【符号の説明】
【００７３】
１００…水用カートリッジ、１１０…フィルタ収容部材、１１２…雄ねじ部、１１４…開口、１１７…開口縁、１２０…蓋部材、１２０Ｇ…雄ねじ部、１２１Ａ…雌ねじ部、１４０…フィルタ、２００…凹部、２０２…筒状部、２０３…一端部、３００…Ｏリング
【図１】
2015211934.tif 000003
【図２】
2015211934.tif 000004
【図３】
2015211934.tif 000005
【図４】
2015211934.tif 000006
【図５】
2015211934.tif 000007
【図６】
2015211934.tif 000008
【図７】
2015211934.tif 000009
【図８】
2015211934.tif 000010
【図９】
2015211934.tif 000011
【図１０】
2015211934.tif 000012
【図１１】
2015211934.tif 000013